(57)【要約】【課題】カメラ部とドアホン部との一体感があり、かつ遠隔試験用端子ブロックを結合することも分離することを可能とした遠隔試験端子付きカメラ付きドアホン子器を提供する。【解決手段】インターホン親機Ｄに信号線Ｌ１で接続され、カメラ部１１とドアホン部１５とをハウジングに収納して一体化したカメラ付きドアホンブロック１と、室内の感知器Ｓの試験用の信号線Ｌ２に接続され、遠隔試験器Ｔを接続する端子をハウジングに収納した遠隔試験端子用ブロック２と、上記両ブロックを結合させるための結合手段３とからなり、この結合手段３により、両ブロック１、２を結合させて一体として配置することも、または分離して配置することも可能としている。【選択図】図１
2004207828.tif 000002
【特許請求の範囲】
【請求項１】
インターホン親機に信号線で接続され、カメラ部とドアホン部とをハウジングに収納して一体化したカメラ付きドアホンブロックと、室内の感知器の試験用の信号線に接続され、遠隔試験器を接続する端子をハウジングに収納した遠隔試験端子用ブロックと、上記両ブロックを結合させるための結合手段とからなり、
上記結合手段により、上記両ブロックを結合させて一体として配置することも、または分離して配置することも可能とした、遠隔試験端子付きカメラ付きドアホン子器。
【請求項２】
請求項１において、
上記結合手段は、上記両ブロックに設けられた一組の結合部材である、遠隔試験端子付きカメラ付きドアホン子器。
【請求項３】
請求項２において、
上記結合部材は、上記両ブロックの後面で両者を鉤止めする鉤止め部と、前面のネジ止め部とからなる、遠隔試験端子付きカメラ付きドアホン子器。
【請求項４】
請求項２において、
上記結合部材は、上記カメラ付きドアホンブロックの両側面に垂下された一対の支持板と、前面のネジ止め部とからなり、
上記遠隔試験端子用ブロックを、上記両支持板で挟みこみスライドさせて合体させ、上記遠隔試験端子用ブロックの前面と上記カメラ付きドアホンブロックの前面とをネジ止めする構成とした、遠隔試験端子付きカメラ付きドアホン子器。
【請求項５】
請求項２において、
上記結合部材は、上記両ブロックの両側面に設けた、弾性変形を伴いその復元弾力によって係止する弾性爪係止部からなる、遠隔試験端子付きカメラ付きドアホン子器。
【請求項６】
請求項２において、
上記結合部材は、上記両ブロックの後面で両者を鉤止めする鉤止め部と、前面で弾性変形を伴いその復元弾力によって係止する弾性爪係止部とからなる、遠隔試験端子付きカメラ付きドアホン子器。
【請求項７】
請求項２において、
上記結合部材は、上記両ブロックの一方の両側面に設けたネジ止め用突出片を含んでおり、
上記ネジ止め用突出片で他方のブロックとネジ止めする構成とした、遠隔試験端子付きカメラ付きドアホン子器。
【発明の詳細な説明】
【０００１】
【発明の属する技術分野】
本発明は、カメラ付きドアホンブロックと遠隔試験端子用ブロックが一体とすることも別配置とすることも可能な、遠隔試験端子付きカメラ付きドアホン子器に関するものである。
【０００２】
【従来の技術】
特許文献１には、インターホン通話機能と警報表示機能を有した戸外表示器に、遠隔試験器を接続するための試験端子を組み込んで一体化させた発明が記載されている。
【０００３】
【特許文献１】
特開平１０−６９５８８号公報
【０００４】
【発明が解決しようとする課題】
図１０には、遠隔試験器を接続するための試験端子とドアホンとを一体化したドアホンブロックと、ドアホンと接続して使用するカメラ部とをコネクタで接続するようにしたカメラ付きドアホンを示している。
【０００５】
図９から判断できるように、カメラ部１０１がカメラブロック１００としてハウジングに収納され、ドアホン部１１２（ドアホン回路やスピーカなど）と、感知器の試験用の遠隔試験端子部１１１とが遠隔試験端子付きブロック１１０として別ハウジングに収納されている。
【０００６】
すなわち、ドアホンラインに接続すべきカメラ部１０１とドアホン部１１２とが別々のハウジングに収納され、逆に、ドアホンラインと試験ラインの別ラインに接続すべきドアホン部１１２と遠隔試験端子部１１１とが一体としてハウジングに収納された構成となっている。
【０００７】
その結果、カメラ付きドアホンとしての一体感はなく、そればかりか、どのような場合も両ブロック１００、１１０をコネクタ１２０で接続しなければならず、施工性はきわめてよくない。
【０００８】
本発明はこのような問題を解決すべく提案されたもので、その目的は、カメラ部とドアホン部との一体感があり、かつ施工性のよい遠隔試験端子付きカメラ付きドアホン子器を提供することにある。
【０００９】
【課題を解決するための手段】
上記目的を達成するために、請求項１に記載の遠隔試験端子付きカメラ付きドアホン子器は、インターホン親機に信号線で接続され、カメラ部とドアホン部とをハウジングに収納して一体化したカメラ付きドアホンブロックと、室内の感知器の試験用の信号線に接続され、遠隔試験器を接続する端子をハウジングに収納した遠隔試験端子用ブロックと、上記両ブロックを結合させるための結合手段とからなり、この結合手段により、両ブロックを結合させて一体として配置することも、または分離して配置することも可能とたものである。
【００１０】
請求項２では、結合手段が両ブロックに設けられた一組の結合部材であることを特徴としている。
【００１１】
請求項３では、結合部材が両ブロックの後面で両者を鉤止めする鉤止め部と、前面のネジ止め部とから構成されている。
【００１２】
請求項４では、結合部材がカメラ付きドアホンブロックの両側面に垂下された一対の支持板と、前面のネジ止め部とから構成されており、遠隔試験端子用ブロックを、両支持板で挟みこみスライドさせて合体させ、遠隔試験端子用ブロックの前面と上記カメラ付きドアホンブロックの前面とをネジ止めするようにしている。
【００１３】
請求項５では、結合部材が両ブロックの両側面に設けた、弾性変形を伴いその復元弾力によって係止する弾性爪係止部により構成されている。
【００１４】
請求項６では、結合部材が両ブロックの後面で両者を鉤止めする鉤止め部と、前面で弾性変形を伴いその復元弾力によって係止する弾性爪係止部とから構成されている。
【００１５】
請求項７では、結合部材は両ブロックの一方の両側面に設けたネジ止め用突出片を含んでおり、このネジ止め用突出片で他方のブロックとネジ止めする構成としている。
【００１６】
【発明の実施の形態】
以下に、本発明の実施の形態について図面とともに説明する。
【００１７】
図１は、遠隔試験端子付きカメラ付きドアホン子器１０の一例を示した正面図である。（ａ）は両ブロック１、２を結合させた状態、（ｂ）は分離させた状態を示している。
【００１８】
この遠隔試験端子付きカメラ付きドアホン子器１０は、カメラ付きドアホンブロック１と、遠隔試験用端子ブロック２と、これらを結合させるための結合手段３とを含んで構成される。
【００１９】
カメラ付きドアホンブロック１は、カメラ回路、映像回路などで構成されるカメラ部１１と、スピーカ１２や呼出スイッチ１３、マイク１４、通話回路などで構成されるドアホン部１５とを備え、１つのハウジングに収納されている。一方、遠隔試験用端子ブロック２は遠隔試験端子部２１を備え、上記のものとは異なるハウジングに収納されている。
【００２０】
また結合手段３は、ネジ止め部ａや鉤止め部ｂなどの結合部材３からなる。図１の例には、カメラ付きドアホンブロック１の下部と、遠隔試験用端子ブロック２の上部に結合部材３を設け、上下に結合させるようにしたものを示しているが、これに限定されず、この逆の配置でもよいし、両ブロックの側面を結合させたものであってもよい。
【００２１】
図２に示すように、カメラ付きドアホンブロック１は室内に設置したインターホン親機Ｄまたは副親機（不図示）にドアホンラインの信号線Ｌ１で接続することによって、テレビインターホンシステムを形成する（図２（ａ））。
【００２２】
一方、遠隔試験用端子ブロック２は、火災感知器Ｓ等が接続された感知器回線Ｌと、遠隔試験器Ｔとに試験ラインの信号線Ｌ２で接続することによって（図２（ｂ））、住戸内の火災感知器Ｓを戸外より試験できるようになっている。
【００２３】
両ブロック１、２は主に玄関先などの戸外に設置して使用するため、図１（ａ）に示すように一体化すれば施工性がよく、美観上の問題もない。また、両者はそれぞれ別ラインに接続するものであるため、相互の間をコネクタ接続する必要がなく、そのため美観を失うことなく両ブロック１、２を別々の場所に設置することもできる。
【００２４】
また、カメラ部１１とドアホン部１５とは同一ハウジング（カメラ付きドアホンブロック１）内に収納されているため、カメラ付きドアホンとしての一体感は保たれる。
【００２５】
図３（ａ）、（ｂ）、（ｃ）は、遠隔試験端子付きカメラ付きドアホン子器１０の一例をブロック別に示した斜視図である。
【００２６】
カメラ付きドアホンブロック１は、カメラ部１１、スピーカ１２、呼出スイッチ１３などに加えて、遠隔試験用端子ブロック２と上下に結合一体化するためのネジ止め部ａや鉤止め部ｂなどの結合部材３を含んで構成される。
【００２７】
一方、遠隔試験用端子ブロック２は、蓋付き遠隔試験端子部２１に加えて、カメラ付きドアホンブロック１と上下に結合一体化するためのネジ止め部ａや鉤止め部ｂなどの結合部材３を含んで構成される。なお、図３（ｃ）には試験端子Ｊが露出した状態の図を示している。
【００２８】
以下に、結合手段（結合部材）３の各種の例について説明する。
【００２９】
図４は、結合部材３が鉤止め部ｂとネジ止め部ａとからなる遠隔試験端子付きカメラ付きドアホン子器の結合態様（第１例）を示す図である。
【００３０】
遠隔試験用端子ブロック２の後面の上部には鉤ｂが形成され、この鉤ｂをカメラ付きドアホンブロック１の後面側の鉤溝ｂに引っかけて、前面側をネジ止めして、両ブロック１、２を一体化する。
【００３１】
このような構成により、両ブロック１、２を容易に分離させることができるとともに、分離した場合もネジ止め部ａや鉤止め部ｂは邪魔にならず、破損しにくいという利点がある。
【００３２】
図５は、結合部材３が一対の支持板ｃとネジ止め部ａとからなる遠隔試験端子付きカメラ付きドアホン子器の結合態様（第２例）を示す図である。（ａ）は側面図、（ｂ）はカメラ付きドアホンブロックの正面図を示している。
【００３３】
両支持板ｃは内側に付勢されており、カメラ付きドアホンブロック１の両側面の下部に垂下するように設けられている。遠隔試験用端子ブロック２を一対の支持板ｃの間にスライドさせて、支持板ｃの復元弾力により挟み込んで固定し、さらに前面をネジ止めして、両ブロック１、２を一体化する。
【００３４】
この構成によれば、結合強度、筐体強度を増大させることができる。
【００３５】
なお、遠隔試験用端子ブロック２と支持板ｃとの接する双方の面に凹凸を設け、はめ合わせるようにしてもよい。
【００３６】
図６は、結合部材３０が弾性爪係止部ｄからなる遠隔試験端子付きカメラ付きドアホン子器の結合態様（第３例）を示す図である。（ａ）は正面図、（ｂ）はカメラ付きドアホンブロックの側面図を示している。
【００３７】
カメラ付きドアホンブロック１の両側面の下部に設けた弾性爪ｄを、遠隔試験用端子ブロック２の両側面に設けた爪穴に差し込んで、両ブロック１、２を一体化する。
【００３８】
弾性爪ｄは弾性変形を伴い、その復元弾力によって係止するようになっているので、結合と分離がきわめて容易である。
【００３９】
これらの弾性爪係止部ｄは、前、後面に設けてもよいし、また２対以上設けてもよい。
【００４０】
図７は、結合部材３が鉤止め部ｂと弾性爪係止部ｅとからなる遠隔試験端子付きカメラ付きドアホン子器の結合態様（第４例）を示す図である。（ａ）は斜視図、（ｂ）は側面図を示している。
【００４１】
遠隔試験用端子ブロック２の後面の上部には鉤ｂが形成され、この鉤ｂをカメラ付きドアホンブロック１の後面側の鉤溝ｂに引っかけて、前面側は弾性爪係止部ｅにより係止して、両ブロック１、２を一体化する。
【００４２】
この構成によれば、ネジ止めが不要なため、短時間で一体化または分離することができる。
【００４３】
図８は、結合部材３がネジ止め用突出片ｆからなる遠隔試験端子付きカメラ付きドアホン子器の結合態様（第５例）を示す図である。
【００４４】
カメラ付きドアホンブロック１の両側面の下部にネジ止め用突出片ｆを設け、このネジ止め用突出片ｆで遠隔試験用端子ブロック２をネジ止めして、一体化する。
【００４５】
なお、ネジ止め用突出片ｆはいずれかのブロックに一体的に備えたものでもよいし、両ブロック１、２に対してネジ止めするための接合用切片であってもよい。
【００４６】
この構成によれば、ネジ止めするだけなので、両ブロックの本体部分を簡単な構造にすることができる。また、接合用切片で結合するようにすれば、両ブロックに結合手段として特殊な形状の加工を施す必要がなく、さらに簡易な構造とすることができるため、製造、加工工程が簡易化できる。
【００４７】
結合手段は以上に記載した態様に限られず、両ブロック１、２の結合箇所に応じた位置に、適宜、各結合部材３（ａ〜ｆ）を組み合わせて設けてもよい。
【００４８】
図９は、本発明の遠隔試験端子付きカメラ付きドアホン子器１０Ａを接続した自動火災報知システムの一例を示す構成図である。この図にはカメラ付きドアホンブロック１Ａ、遠隔試験用端子ブロック２Ａの各回路構成を示している。
【００４９】
カメラ付きドアホンブロック１Ａは、上記で説明したカメラ回路や映像回路などを含むカメラ部１１と、スピーカ１２や呼出スイッチ１３、マイク１４、呼出検知回路、通話回路などを含むドアホン部１５と、動作表示灯１７、通電表示灯１６などの戸外表示部とを含んで構成される。
【００５０】
また図９中、Ｂはインターホン親機の機能を有した住宅情報盤であり、ドアホンライン信号線Ｌ１でカメラ付きドアホンブロック１Ａと、試験ライン信号線Ｌ２で遠隔試験用端子ブロック２Ａと接続されている。
【００５１】
【発明の効果】
以上の説明からも理解できるように、請求項１に記載の遠隔試験端子付きカメラ付きドアホン子器は、カメラ付きドアホンブロックと遠隔試験用端子ブロックとを結合させるための結合手段を備えているので、ドアホンラインと試験ラインの別々の信号線に接続すべき、カメラ付きドアホンと遠隔試験端子とを結合させて同一場所に設置することができる。
【００５２】
また、ラインごとに別ハウジングに収納されているので、カメラ部とドアホン部との一体感は失われず、かつ、コネクタで接続することなく別配置することもで、施工性がきわめてよい。
【００５３】
請求項２では、結合手段は両ブロックの前面、後面、側面等に設けられた結合部材より構成されているので、各ブロックに結合部材を備えた一体成形品として製品化することができる。
【００５４】
請求項３では、結合部材がネジ止め部と鉤止め部とで構成されているので、両ブロックは容易に分離できるとともに、分離した場合も結合部材が邪魔にならず破損しにくいという効果がある。
【００５５】
請求項４では、一対の支持板で挟みこみ、さらにネジ止めしているので、結合強度、筐体強度を増大させることができる。
【００５６】
請求項５では、結合部材が弾性変形を伴い、その復元弾力によって係止する弾性爪係止部であるので、両ブロックを容易に短時間で結合させることができる。
【００５７】
請求項６では、ネジ止めせずに、鉤止め部と弾性爪係止部のみで両ブロックを結合しているので、短時間で一体化または分離することができる。
【００５８】
請求項７では、ネジ止めするだけなので、両ブロックを簡単な構造にすることができる。また、接合用切片で結合するようにすれば、両ブロックに結合手段として特殊な形状を備える必要がなく、さらに簡単な構造とすることができるため、製造、加工工程が簡易化できる。
【図面の簡単な説明】
【図１】本発明の遠隔試験端子付きカメラ付きドアホン子器の一例を示した正面図である。（ａ）は両ブロックを結合させた状態を、（ｂ）は分離させた状態を示している。
【図２】（ａ）はカメラ付きドアホンブロックを接続したテレビインターホンシステム、（ｂ）は遠隔試験用端子ブロックを接続した自動火災報知システムの各ブロック図である。
【図３】本発明の遠隔試験端子付きカメラ付きドアホン子器の一例をブロック別に示した斜視図である。
【図４】本発明の遠隔試験端子付きカメラ付きドアホン子器の構成の第１例を示す図である。
【図５】本発明の遠隔試験端子付きカメラ付きドアホン子器の構成の第２例を示す図である。（ａ）は側面図、（ｂ）はカメラ付きドアホンブロックの正面図を示している。
【図６】本発明の遠隔試験端子付きカメラ付きドアホン子器の構成の第３例を示す図である。（ａ）は正面図、（ｂ）はカメラ付きドアホンブロックの側面図を示している。
【図７】本発明の遠隔試験端子付きカメラ付きドアホン子器の構成の第４例を示す図である。（ａ）は斜視図、（ｂ）は側面図を示している。
【図８】本発明の遠隔試験端子付きカメラ付きドアホン子器の構成の第５例を示す図である。
【図９】本発明の遠隔試験端子付きカメラ付きドアホン子器を接続した自動火災報知システムの一例を示すブロック図である。
【図１０】従来の遠隔試験端子付きカメラ付きドアホンの構成を示す図である。
【符号の説明】
１０、１０Ａ・・・遠隔試験端子付きカメラ付きドアホン子器
１、１Ａ・・・カメラ付きドアホンブロック
１１・・・カメラ部
１２・・・スピーカ
１３・・・呼出スイッチ
１４・・・マイク
１５・・・ドアホン部
２、２Ａ・・・遠隔試験用端子ブロック
２１・・・遠隔試験端子部
Ｊ・・・試験端子
３・・・結合手段（結合部材）
ａ・・・ネジ止め部
ｂ・・・鉤止め部
ｃ・・・支持板
ｄ、ｅ・・・弾性爪係止部
ｆ・・・ネジ止め用突出片
Ｌ１・・・ドアホンライン信号線
Ｄ・・・インターホン親機
Ｌ２・・・試験ライン信号線
Ｔ・・・遠隔試験器
Ｓ・・・火災感知器
【図１】
2004207828.tif 000003
【図２】
2004207828.tif 000004
【図３】
2004207828.tif 000005
【図４】
2004207828.tif 000006
【図５】
2004207828.tif 000007
【図６】
2004207828.tif 000008
【図７】
2004207828.tif 000009
【図８】
2004207828.tif 000010
【図９】
2004207828.tif 000011
【図１０】
2004207828.tif 000012